【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】
【請求項１】  少なくとも１つの送受信基地局（ＢＳ１、ＢＳ２）および少なくとも１つのワイヤレス加入者端末（ＭＴ）を備える無線通信システムであって、該ワイヤレス加入者端末（ＭＴ）が、少なくとも２つの異なる無線伝送モード（ＤＥＣＴ、ＧＳＭ、ＵＭＴＳ、ＩＳ９５）にしたがって無線信号を送受信するためにトランシーバを含んでおり、かつ、少なくとも１つの送受信基地局（ＢＳ１、ＢＳ２）の１つ（ＢＳ１）との加入者接続が少なくとも設定される前に、様々な無線伝送モード（ＤＥＣＴ、ＧＳＭ、ＵＭＴＳ）の１つを選択するために選択手段を含み、
少なくとも１つの送受信基地局（ＢＳ１）がまた、様々な無線伝送モード（ＤＥＣＴ、ＧＳＭ、ＥＤＧＥ）にしたがって送受信するためにトランシーバを含んでおり、
少なくとも１つの送受信基地局（ＢＳ１）が、制御手段（ＲＲＭ）に接続されており、前記制御手段（ＲＲＭ）は、事前設定可能な基準を用いて、様々な無線伝送モード（ＤＥＣＴ、ＧＳＭ、ＥＤＧＥ）の各々についてアベイラビリティ値を判定し、かつ利用可能な無線伝送モードに関する識別子コードをワイヤレス加入者端末（ＭＴ）に送信するために送受信基地局（ＢＳ１）を制御し、
制御手段（ＲＲＭ）が、送受信基地局（ＢＳ１）のための優先順位リストを作成し、優先順位リストにおいて、無線伝送モード（ＤＥＣＴ、ＧＳＭ、ＥＤＧＥ）に関する識別コードが、アベイラビリティ値のレベルに基づく優先順位の順序で列挙され、
送受信基地局（ＢＳ１）が、該優先順位リストをワイヤレス加入者端末（ＭＴ）に送信し、
ワイヤレス加入者端末（ＭＴ）が、優先順位リストを受信し、かつ優先順位リストに列挙されている無線伝送モード（ＤＥＣＴ、ＧＳＭ、ＥＤＧＥ）の識別コードに基づいて、少なくとも識別コードの１つが、加入者端末（ＭＴ）のトランシーバが無線信号を送受信することができる無線伝送モード（ＤＥＣＴ）を示すか否かを検査し、
ワイヤレス加入者端末（ＭＴ）が、優先順位リストにおいて好ましくかつワイヤレス加入者端末（ＭＴ）によってサポートされている無線伝送モードを選択することを特徴とする、無線通信システム。
【請求項２】  事前設定可能な基準が、無線システムで現在示されている無線資源であり、制御手段（ＲＲＭ）に接続されている各送受信基地局（ＢＳ１、ＢＳ２）で示されている無線資源を監視することによって、制御手段（ＲＲＭ）が、現在最多の無線資源を有する無線伝送モード（ＤＥＣＴ）に最高のアベイラビリティ値を割り当てることを特徴とする、請求項１に記載の無線通信システム。
【請求項３】  様々な無線伝送モードが、無線伝送（ＤＥＣＴ、ＧＳＭ、ＵＭＴＳ、ＩＳ９５）の標準化された方法、具体的には、無線伝送の標準化された方法の様々なバージョンを含み、少なくとも１つの送受信基地局のトランシーバと、少なくとも１つのワイヤレス加入者端末（ＭＴ）のトランシーバとが、無線伝送（ＤＥＣＴ、ＧＳＭ、ＵＭＴＳ、ＩＳ９５）の標準化された方法に従って、無線信号を送受信できることを特徴とする、請求項１に記載の無線通信システム。
【請求項４】  少なくとも２つの識別コードが、加入者端末（ＭＴ）のトランシーバが無線信号を送受信することができる無線伝送モード（ＤＥＣＴ、ＧＳＭ）を示すとき、ワイヤレス加入者端末が、最高のアベイラビリティ値を有する無線伝送モード（ＤＥＣＴ）を選択することを特徴とする、請求項３に記載の無線通信システム。
【請求項５】  ワイヤレス加入者端末（ＭＴ）が、送受信基地局（ＢＳ１）に、ワイヤレス加入者端末（ＭＴ）のトランシーバが無線信号を送受信することができるすべての無線伝送モード（ＤＥＣＴ、ＧＳＭ、ＵＭＴＳ）に関する識別コードを送信し、送受信基地局（ＢＳ１）の制御手段（ＲＲＭ）が、ワイヤレス加入者端末（ＭＴ）によって送信された識別コードに基づいて優先順位リストを作成し、該識別コードだけが、アベイラビリティ値のレベルに基づく優先順位の順序で優先順位リストに列挙されていることを特徴とする、請求項３に記載の無線通信システム。
【請求項６】  ワイヤレス加入者端末（ＭＴ）が、事前設定可能な優先順位の順序に従って、無線伝送モード（ＤＥＣＴ、ＧＳＭ、ＵＭＴＳ）に関する識別コードを希望リストに列挙し、かつ該希望リストを送受信基地局（ＢＳ１）に送信し、送受信基地局（ＢＳ１）の制御手段（ＲＲＭ）が、送信された希望リストに基づいて優先順位リストを生成し、希望リスト内の優先順位の順序にしたがって、同様に高いアベイラビリティ値をもつ識別コードが優先順位リストに列挙されていることを特徴とする、請求項５に記載の無線通信システム。
【請求項７】  ワイヤレス加入者端末（ＭＴ）が、加入者が、希望リストに列挙されている無線伝送モード（ＤＥＣＴ、ＧＭＳ、ＵＭＴＳ）の優先順位の順序を事前設定する入力手段を含むことを特徴とする、請求項６に記載の無線通信システム。
【請求項８】  ワイヤレス加入者端末（ＭＴ）が、加入者による所望の通信サービスに基づいて、希望リストに列挙されている無線伝送モード（ＤＥＣＴ、ＧＳＭ、ＵＭＴＳ）の優先順位の順序を事前設定する計算手段を含むことを特徴とする、請求項６に記載の無線通信システム。
【請求項９】  少なくとも１つの送受信基地局（ＢＳ１、ＢＳ２）を含んでいる無線通信システムにおいて、少なくとも２つの異なる無線伝送モード（ＤＥＣＴ、ＧＳＭ、ＵＭＴＳ、ＩＳ９５）にしたがって無線信号を送受信するためにトランシーバを含んでおり、かつ、少なくとも１つの送受信基地局（ＢＳ１、ＢＳ２）の１つ（ＢＳ１）との加入者接続が少なくとも設定される前に、様々な無線伝送モード（ＤＥＣＴ、ＧＳＭ、ＵＭＴＳ）の１つを選択するために選択手段を含んでいる、ワイヤレス加入者端末（ＭＴ）であって、
ワイヤレス加入者端末（ＭＴ）が、少なくとも１つの送受信基地局（ＢＳ１）から識別コードを受信し、前記少なくとも１つの送受信基地局（ＢＳ１）は、また様々な無線伝送モード（ＤＥＣＴ、ＧＳＭ、ＥＤＧＥ）にしたがって送受信するためにトランシーバを含んでおり、
送受信基地局（ＢＳ１）が、制御手段（ＲＲＭ）に接続されており、前記制御手段（ＲＲＭ）は、事前設定可能な基準を用いて、様々な無線伝送モード（ＤＥＣＴ、ＧＳＭ、ＥＤＧＳ）の各々についてアベイラビリティ値を判定し、かつ利用可能な無線伝送モードに関する識別子コードをワイヤレス加入者端末（ＭＴ）に送信するために送受信基地局（ＢＳ１）を制御し、
制御手段（ＲＲＭ）が、送受信基地局（ＢＳ１）のための優先順位リストを作成し、優先順位リストにおいて、無線伝送モード（ＤＥＣＴ、ＧＳＭ、ＥＤＧＥ）に関する識別コードが、アベイラビリティ値のレベルに基づく優先順位の順序で列挙され、
送受信基地局（ＢＳ１）が、該優先順位リストをワイヤレス加入者端末（ＭＴ）に送信し、
ワイヤレス加入者端末（ＭＴ）が、優先順位リストを受信し、かつ優先順位リストに列挙されている無線伝送モード（ＤＥＣＴ、ＧＳＭ、ＥＤＧＥ）の識別コードに基づいて、少なくとも識別コードの１つが、加入者端末（ＭＴ）のトランシーバが無線信号を送受信することができる無線伝送モード（ＤＥＣＴ）を示すか否かを検査し、
ワイヤレス加入者端末（ＭＴ）が、優先順位リストにおいて好ましくかつワイヤレス加入者端末（ＭＴ）によってサポートされている無線伝送モードを選択することを特徴とする、ワイヤレス加入者端末（ＭＴ）。
【請求項１０】  少なくとも１つのワイヤレス加入者端末（ＭＴ）を備える無線通信システムの送受信基地局（ＢＳ１）であって、該ワイヤレス加入者端末（ＭＴ）が、少なくとも２つの異なる無線伝送モード（ＤＥＣＴ、ＧＳＭ、ＵＭＴＳ、ＩＳ９５）にしたがって無線信号を送受信するためにトランシーバを含んでおり、かつ、送受信基地局（ＢＳ１）との加入者接続が少なくとも設定される前に、様々な無線伝送モード（ＤＥＣＴ、ＧＳＭ、ＵＭＴＳ）の１つを選択するために選択手段を含み、
送受信基地局（ＢＳ１）がまた、様々な無線伝送モード（ＤＥＣＴ、ＧＳＭ、ＥＤＧＥ）にしたがって送受信するためにトランシーバを含んでおり、
送受信基地局（ＢＳ１）が、制御手段（ＲＲＭ）に接続されており、前記制御手段（ＲＲＭ）は、事前設定可能な基準を用いて、利用可能な無線伝送モードに関する識別子コードをワイヤレス加入者端末（ＭＴ）に送信するために、様々な無線伝送モード（ＤＥＣＴ、ＧＳＭ、ＥＤＧＥ）の各々についてアベイラビリティ値を判定し、
制御手段（ＲＲＭ）が、送受信基地局（ＢＳ１）のための優先順位リストを作成し、優先順位リストにおいて、無線伝送モード（ＤＥＣＴ、ＧＳＭ、ＥＤＧＥ）に関する識別コードが、アベイラビリティ値のレベルに基づく優先順位の順序で列挙され、
送受信基地局（ＢＳ１）が、該優先順位リストをワイヤレス加入者端末（ＭＴ）に送信し、
ワイヤレス加入者端末（ＭＴ）が、優先順位リストを受信し、かつ優先順位リストに列挙されている無線伝送モード（ＤＥＣＴ、ＧＳＭ、ＥＤＧＥ）の識別コードに基づいて、少なくとも識別コードの１つが、加入者端末（ＭＴ）のトランシーバが無線信号を送受信することができる無線伝送モード（ＤＥＣＴ）を示すか否かを検査し、
ワイヤレス加入者端末（ＭＴ）が、優先順位リストにおいて好ましくかつワイヤレス加入者端末（ＭＴ）によってサポートされている無線伝送モードを選択することを特徴とする、送受信基地局（ＢＳ１）。
【請求項１１】  少なくとも１つのワイヤレス加入者端末（ＭＴ）を備える無線通信システムの少なくとも１つの送受信基地局（ＢＳ１、ＢＳ２）のための制御手段（ＲＲＭ）であって、該ワイヤレス加入者端末（ＭＴ）が、少なくとも２つの異なる無線伝送モード（ＤＥＣＴ、ＧＳＭ、ＵＭＴＳ、ＩＳ９５）にしたがって無線信号を送受信するためにトランシーバを含んでおり、かつ、少なくとも１つの送受信基地局（ＢＳ１、ＢＳ２）の１つ（ＢＳ１）との加入者接続が少なくとも設定される前に、様々な無線伝送モード（ＤＥＣＴ、ＧＳＭ、ＵＭＴＳ、ＩＳ９５）の１つを選択するために選択手段を含み、
少なくとも１つの送受信基地局（ＢＳ１）がまた、様々な無線伝送モード（ＤＥＣＴ、ＧＳＭ、ＥＤＧＥ）にしたがって送受信するためにトランシーバを含んでおり、
制御手段（ＲＲＭ）が、事前設定可能な基準を用いて、様々な無線伝送モード（ＤＥＣＴ、ＧＳＭ、ＥＤＧＥ）の各々についてアベイラビリティ値を判定し、かつ送受信基地局（ＢＳ１）を、利用可能な無線伝送モードに関する識別子コードをワイヤレス加入者端末（ＭＴ）に送信するように制御し、
制御手段（ＲＲＭ）が、送受信基地局（ＢＳ１）のための優先順位リストを作成し、優先順位リストにおいて、無線伝送モード（ＤＥＣＴ、ＧＳＭ、ＥＤＧＥ）に関する識別コードが、アベイラビリティ値のレベルに基づく優先順位の順序で列挙され、
送受信基地局（ＢＳ１）が、該優先順位リストをワイヤレス加入者端末（ＭＴ）に送信し、
ワイヤレス加入者端末（ＭＴ）が、優先順位リストを受信し、かつ優先順位リストに列挙されている無線伝送モード（ＤＥＣＴ、ＧＳＭ、ＥＤＧＥ）の識別コードに基づいて、少なくとも識別コードの１つが、加入者端末（ＭＴ）のトランシーバが無線信号を送受信することができる無線伝送モード（ＤＥＣＴ）を示すか否かを検査し、
ワイヤレス加入者端末（ＭＴ）が、優先順位リストにおいて好ましくかつワイヤレス加入者端末（ＭＴ）によってサポートされている無線伝送モードを選択することを特徴とする、制御手段（ＲＲＭ）。
【請求項１２】  無線通信システムにおける無線伝送の方法（１００）であって、ワイヤレス加入者端末（ＭＴ）によって、少なくとも２つの異なる無線伝送モード（ＤＥＣＴ、ＧＳＭ、ＵＭＴＳ、ＩＳ９５）にしたがって、無線信号が送受信され、送受信基地局（ＢＳ１）との加入者接続が少なくとも設定される（１５０）前に、様々な無線伝送モード（ＤＥＣＴ、ＧＳＭ、ＵＭＴＳ）の１つがワイヤレス加入者端末（ＭＴ）によって選択され（１４０）、
無線信号が、さらに、送受信基地局（ＢＳ１）によって、様々な無線伝送モード（ＤＥＣＴ、ＧＳＭ、ＥＤＧＥ）にしたがって送受信され（１５５）、
アベイラビリティ値が、事前設定可能な基準を用いて、送受信基地局（ＢＳ１）に接続された制御手段（ＲＲＭ）によって、様々な無線伝送モード（ＤＥＣＴ、ＧＳＭ、ＥＤＧＥ）の各々について判定され（１１０）、かつ送受信基地局（ＢＳ１）が、利用可能な無線伝送モードに関する識別子コードをワイヤレス加入者端末（ＭＴ）に送信するように制御され、
優先順位リストが、送受信基地局（ＢＳ１）のために作成され（１２０）、優先順位リストにおいて、無線伝送モード（ＤＥＣＴ、ＧＳＭ、ＥＤＧＥ）に関する識別コードが、アベイラビリティ値のレベルに基づく優先順位の順序で列挙され、
該優先順位リストが、送受信基地局（ＢＳ１）によってワイヤレス加入者端末（ＭＴ）に送信され（１３０）、
優先順位リストが、ワイヤレス加入者端末（ＭＴ）によって受信され（１３５）、かつ優先順位リストに列挙されている無線伝送モード（ＤＥＣＴ、ＧＳＭ、ＥＤＧＥ）の識別コードに基づいて、少なくとも識別コードの１つが、加入者端末（ＭＴ）のトランシーバが無線信号を送受信することができる無線伝送モード（ＤＥＣＴ）を示すか否かが検査され（１４０）、
ワイヤレス加入者端末（ＭＴ）が、優先順位リストにおいて好ましくかつワイヤレス加入者端末（ＭＴ）によってサポートされている無線伝送モードを選択することを特徴とする、無線通信システムにおける無線伝送の方法（１００）。
【請求項１３】  加入者端末（ＭＴ）のトランシーバが、無線信号を送受信することができるすべての無線伝送モード（ＤＥＣＴ、ＧＳＭ、ＵＭＴＳ）に関する識別コードが、ワイヤレス加入者端末（ＭＴ）によって送受信基地局（ＢＳ１）に送信され（１０３）、次いで、ワイヤレス加入者端末（ＭＴ）によって送信された識別コードに基づいて、送受信基地局（ＢＳ１）に関して優先順位リストが生成され（１２０）、識別コードだけが、アベイラビリティ値のレベルに基づく優先順位の順序で優先順位リストに列挙されることを特徴とする、請求項１２に記載の無線伝送の方法（１００’）。